(57)【特許請求の範囲】
【請求項１】
サーバに登録されユーザがネットワークを介してアクセスした情報をユーザの表示面に表示することが可能に構成される情報掲示システムにおける掲示情報作成のためのプログラムを記録した記録媒体であって、
画像入力手段を用いて取り込まれてユーザからネットワークを介して送られてくる画像情報である、本体情報と当該本体情報の見出しとなる導入情報とを一時フォルダに格納する処理と、
前記本体情報を表示するための本体情報文書ファイルを作成する処理と、
前記導入情報を表示するための導入情報文書ファイルを作成する処理と、
前記導入情報文書ファイルに、ユーザがサーバにアクセスして当該ユーザの表示面に導入情報を表示した場合に当該導入情報を選択することによりそれに対応した本体情報が表示されるように、当該導入情報文書ファイルと当該導入情報文書ファイルに対応する本体情報文書ファイルとをリンクする情報を含める処理と、
画像情報である前記本体情報を取り込むための本体情報入力画面および画像情報である前記導入情報を取り込むための導入情報入力画面を表示するようユーザの端末装置にダウンロードする処理と、
をコンピュータに実行させるためのプログラムであって、
前記導入情報入力画面において、前記導入情報として、前記本体情報のうちのユーザによって指定される部分を用いることが可能である、
ことを特徴とするプログラムを格納したコンピュータ読み取り可能な記録媒体。
【請求項２】
サーバに登録されユーザがネットワークを介してアクセスした情報をユーザの表示面に表示することが可能に構成される情報掲示システムにおける掲示情報作成のためのプログラムを記録した記録媒体であって、
画像入力手段を用いて取り込まれてユーザからネットワークを介して送られてくる画像情報である、本体情報と当該本体情報の見出しとなる導入情報とを一時フォルダに格納する処理と、
前記本体情報を表示するための本体情報文書ファイルを作成する処理と、
前記導入情報を表示するための導入情報文書ファイルを作成する処理と、
前記導入情報文書ファイルに、ユーザがサーバにアクセスして当該ユーザの表示面に導入情報を表示した場合に当該導入情報を選択することによりそれに対応した本体情報が表示されるように、当該導入情報文書ファイルと当該導入情報文書ファイルに対応する本体情報文書ファイルとをリンクする情報を含める処理と、
画像情報である前記本体情報を取り込むための本体情報入力画面および画像情報である前記導入情報を取り込むための導入情報入力画面を表示するようユーザの端末装置にダウンロードする処理と、
前記導入情報の作成のために、前記画像情報を拡大し又は縮小するための編集画面を表示するようユーザの端末装置にダウンロードする処理と、
をコンピュータに実行させるためのプログラムを格納したコンピュータ読み取り可能な記録媒体。
【請求項３】
サーバに登録されユーザがネットワークを介してアクセスした情報をユーザの表示面に表示することが可能に構成される情報掲示システムにおける掲示情報作成のためのプログラムを記録した記録媒体であって、
画像入力手段を用いて取り込まれてユーザからネットワークを介して送られてくる画像情報である、本体情報と当該本体情報の見出しとなる導入情報とを一時フォルダに格納する処理と、
前記本体情報を表示するための本体情報文書ファイルを作成する処理と、
前記導入情報を表示するための導入情報文書ファイルを作成する処理と、
前記導入情報文書ファイルに、ユーザがサーバにアクセスして当該ユーザの表示面に導入情報を表示した場合に当該導入情報を選択することによりそれに対応した本体情報が表示されるように、当該導入情報文書ファイルと当該導入情報文書ファイルに対応する本体情報文書ファイルとをリンクする情報を含める処理と、
画像情報である前記本体情報を取り込むための本体情報入力画面および画像情報である前記導入情報を取り込むための導入情報入力画面を表示するようユーザの端末装置にダウンロードする処理と、
前記本体情報及び前記導入情報についての登録有効期限を入力するための期限情報の入力画面を表示するようユーザの端末装置にダウンロードする処理と、
をコンピュータに実行させるためのプログラムを格納したコンピュータ読み取り可能な記録媒体。
【発明の詳細な説明】
【０００１】
【発明の属する技術分野】
本発明は、ネットワークを用いた電子掲示板などの情報掲示システムにおける情報登録装置および記録媒体に関する。
【０００２】
インターネットの普及によって、ユーザの登録した情報を他のユーザが閲覧できるようにした電子掲示板の利用が増えており、広域又は地域における重要な情報伝達手段の１つとなってきた。このような電子掲示板においては、各ユーザが情報の提供者となるのであるから、ユーザの誰でもが容易に迅速に情報を登録できることが重要である。
【０００３】
【従来の技術】
従来において、ユーザが電子掲示板に何らかの情報を登録しようとした場合には、パーソナルコンピュータまたはワードプロセッサなどを用いて原稿を入力し、タイトルなどの必要な事項を書き込んだテキスト文書を作成する。
【０００４】
また、必要に応じてＨＴＭＬを用いてテキスト文書を編集し、ＨＴＭＬ文書を作成する。情報の中に画像を含めたい場合には、イメージリーダまたはデジタルカメラなどを用いて取り込んだ画像情報を所定のサイズのファイル形式に変換し、ＨＴＭＬ文書と関連付ける。なお、入力されたテキスト情報および画像情報からＨＴＭＬ文書を自動的に作成することも可能である（特開平９−２２３２４０号）。
【０００５】
いずれにしても、従来においては、電子掲示板に登録するための情報の作成に当たって、ユーザはキーボードを用いてテキスト情報を入力し、必要に応じて画像情報を入力する。
【０００６】
【発明が解決しようとする課題】
上に述べたように、従来においては、掲示用の情報を作成するために、必ずキーボードを操作する必要があり、しかも情報の中心的な部分を作成するための本格的な操作が必要であった。
【０００７】
一般に、パーソナルコンピュータを用い、インターネット上のＷＷＷサーバへのアクセスまたは電子メールによる通信などを行っているユーザにとって、キーボードを操作して文書またはデータなどを入力することに特別な障壁はない。また、ワードワードプロセッサを用いて日常的に文書を作成しているユーザにとっても同様である。
【０００８】
しかし、そのような操作を日頃行っていないユーザにとって、キーボードの操作は面倒であり、キーボードに慣れて操作を行えるようになることは容易ではない。
【０００９】
近年において、ＣＡＴＶの双方向性を利用したインターネットサービスが注目を集めているが、そこで提供される電子掲示板には、その地域の生活に密着したきめ細かな情報が求められる。そこでは、ＣＡＴＶの加入者の多くが電子掲示板の情報提供者になり得るのである。
【００１０】
例えば、その地域の小売店やスーパーマーケットなどの販売店が当日の特売品情報を電子掲示板で知らせたい場合には、特売しようとする商品が生じたタイミングで、リアルタイムに、その商品の存在する現場において、販売の担当者が自ら、掲示用の情報を作成してサーバに送信することが好ましい。
【００１１】
そのような場合に、従来の情報掲示システムでは、担当者がキーボードを操作しなければならない。したがって、担当者がキーボードの操作に慣れていない場合には、情報の発信のために多くの時間を要し、特売のタイミングを逸してしまうことにもなる。そのため、現実的には、情報発信の回数を限定したり、情報の発信のための専任者を配置する必要が生じる。
【００１２】
また、キーボードの操作に慣れた担当者である場合でも、販売の現場においてキーボードを操作することは、デスク上での操作のようにはいかないため、掲示用の情報を作成しそれを発信するには相当の時間と労力を要する。
【００１３】
このように、ユーザがそれぞれの情報を作成してサーバに登録し、地域または世界に向かって公開できる環境が与えられても、キーボードの操作ができないユーザにとってはそれが障壁となって情報を発信することができず、常に情報を受ける側に回らざるを得ない状況である。
【００１４】
本発明は、上述の問題に鑑みてなされたもので、電子掲示板に登録するための情報を容易に且つ迅速に作成し登録することを可能にすることである。
【００１５】
【課題を解決するための手段】
本願発明に係る記録媒体は、サーバに登録されユーザがネットワークを介してアクセスした情報をユーザの表示面に表示することが可能に構成される情報掲示システムにおける掲示情報作成のためのプログラムを記録した記録媒体であって、画像入力手段を用いて取り込まれてユーザからネットワークを介して送られてくる画像情報である、本体情報と当該本体情報の見出しとなる導入情報とを一時フォルダに格納する処理と、前記本体情報を表示するための本体情報文書ファイルを作成する処理と、前記導入情報を表示するための導入情報文書ファイルを作成する処理と、前記導入情報文書ファイルに、ユーザがサーバにアクセスして当該ユーザの表示面に導入情報を表示した場合に当該導入情報を選択することによりそれに対応した本体情報が表示されるように、当該導入情報文書ファイルと当該導入情報文書ファイルに対応する本体情報文書ファイルとをリンクする情報を含める処理と、画像情報である前記本体情報を取り込むための本体情報入力画面および画像情報である前記導入情報を取り込むための導入情報入力画面を表示するようユーザの端末装置にダウンロードする処理と、をコンピュータに実行させるためのプログラムであって、前記導入情報入力画面において、前記導入情報として、前記本体情報のうちのユーザによって指定される部分を用いることが可能である、ことを特徴とするプログラムを格納したコンピュータ読み取り可能な記録媒体である。
【００１７】
前記本体情報又は／及び導入情報が、静止画若しくは動画、又は音声を含む静止画若しくは動画であってもよい。
前記本体情報又は／及び導入情報に、予め登録された特定の画像を合成することを可能としてもよい。
【００１９】
前記導入情報入力画面において、本体情報として取り込まれた画像情報の全部又は一部が導入情報のデフォルト画像情報として表示されるようにしてもよい。
【００２１】
【発明の実施の形態】
図１は本発明に係る情報掲示システム１の構成の例を示すブロック図、図２は端末装置４の構成の例を示すブロック図、図３はサーバ３の構成の例を示すブロック図である。
【００２２】
図１において、情報掲示システム１は、ネットワークＮＷに接続されたサーバ３および端末装置４，４…などからなる。ネットワークＮＷは、ＣＡＴＶの光ファイバ回線または同軸ケーブル回線、公衆回線、専用回線、無線回線、ＬＡＮ、ＷＡＮ、若しくはインターネットなど、またはそれらの組み合わせによるネットワークである。また、複数のネットワークを介したネットワークＮＷであってもよい。
【００２３】
図２に示すように、端末装置４は、処理装置１０、ディスプレイ装置１１、コンバータ１２、ビデオキャプチャ１３、ビデオカメラ１４、リモコン受信機１５、およびリモコン送信機１６などからなる。
【００２４】
処理装置１０は、プログラムおよびデータを格納したハードディスク装置およびメモリ、ディスプレイ装置１１に映像信号Ｓ１を送出するためのコンバータ、他の機器との間の種々のインタフェース、その他の種々の機器または回路を備えており、ＯＳ（オペレーティングシステム）の下でプログラムを実行してその処理結果をディスプレイ装置１１の表示面に表示しまたは外部へ出力する。
【００２５】
処理装置１０のハードディスク装置またはメモリには、サーバ３その他のサーバにアクセスして文字および画像などを表示しまた双方向の通信を行う機能、電子掲示板にアクセスする機能、電子掲示板に掲示するための情報を作成しサーバ３に登録する掲示情報作成機能ＫＪＫ、その他の種々の機能を実現するためのプログラムおよびデータが格納されている。メモリなどには、掲示情報作成機能によって取得された主情報ＳＹＪ、題名情報ＤＭＪ、および期限情報ＫＧＪなどが格納される。主情報ＳＹＪは本発明の本体情報に、題名情報ＤＭＪは本発明の導入情報に、それぞれ相当する。
【００２６】
なお、掲示情報作成機能ＫＪＫを実現するためのプログラムは、ＣＤ−ＲＯＭ（ＣＤ）、フロッピーディスクＦＤ、または光磁気ディスクなどの記録媒体によって提供することも可能である。また、サーバからダウンロードすることも可能である。
【００２７】
ディスプレイ装置１１は、処理装置１０からの映像信号Ｓ１を受けて表示面ＨＧに種々の画像を表示する。本実施形態では、ディスプレイ装置１１としてテレビジョン受像機が用いられており、処理装置１０からの映像信号Ｓ１はビデオ端子に入力される。通常のテレビジョン番組を受像する際には、コンバータ１２から送出される無線周波のテレビジョン信号Ｓ２を受信する。
【００２８】
コンバータ１２には、ＣＡＴＶの基地局と処理装置１０との間で双方向のデータ通信を行うためのインタフェースなどが収納されている。セット・トップ・ボックスなどと呼称される場合もある。なお、本実施形態においては、ＣＡＴＶによるネットワークＮＷを利用した場合を例に挙げたが、そうでない場合には、コンバータ１２に代えて他のコンバータ、インタフェース、またはモデムなどを用いればよい。
【００２９】
ビデオキャプチャ１３は、ビデオカメラ１４などからアナログの映像信号Ｓ３を取り込み、これをデジタルの画像データＳ４に変換して処理装置１０に出力する。画像データＳ４として、静止画または動画、若しくは音声を含む静止画または動画とすることが可能である。なお、ビデオカメラ１４に代えてビデオデッキなどを用いてもよい。ビデオキャプチャ１３に代えて、またはこれとともに、デジタルビデオカメラ、デジタルカメラ、またはイメージリーダなどを用い、直接的に静止画または動画などを処理装置１０に取り込むことも可能である。例えばデジタルカメラを用いた場合には、簡単な構成で簡便に静止画を取り込むことができる。
【００３０】
リモコン受信機１５は、リモコン送信機１６から送信される制御信号を受信し、処理装置１０に出力する。リモコン送信機１６は、端末装置４のユーザが、表示面ＨＧに表示される画像の案内にしたがって操作する。これによって、処理装置１０により実行されるアプリケーションに対し、データおよびコマンドが入力され、指示が与えられる。なお、リモコン送信機１６として無線マウスを用いることも可能である。
【００３１】
なお、本実施形態の端末装置４では、ディスプレイ装置１１としてテレビジョン受像機を用いたが、それに代えてコンピュータで用いられる通常のディスプレイ装置を用いてもよい。その場合には、パーソナルコンピュータおよびその周辺機器によって端末装置４の全体を構成してもよい。
【００３２】
次に、サーバ３は、インターネットを介してアクセスすることのできるＷＷＷサーバである。但し、アクセスに当たり、認証番号およびパスワードなどを要する場合もある。
【００３３】
図３に示すように、サーバ３には、一時フォルダ３１およびウエブフォルダ３２が設けられている。一時フォルダ３１には、端末装置４から送信される主情報ＳＹＪ、題名情報ＤＭＪ、および期限情報ＫＧＪが一時的に格納される。
【００３４】
ウエブフォルダ３２には、主情報フォルダ４１、題名情報フォルダ４２、および期限情報ファイル４３が設けられる。各フォルダまたはファイルには、一時フォルダ３１に一時的に格納されている主情報ＳＹＪ、題名情報ＤＭＪ、および期限情報ＫＧＪが、１分または１０分などの適当な時間間隔で転送され、それぞれに対応するフォルダまたはファイルに格納される。
【００３５】
ウエブフォルダ３２に新しい情報が格納されると、その情報を表示面に表示するためのＨＴＭＬ文書が自動的に作成され、主情報文書ファイルＳＨ１〜４および題名情報文書ファイルＤＨなどとして格納される。
【００３６】
ここで、主情報ＳＹＪに対しては、１つの主情報ＳＹＪについて１つの主情報文書ファイルＳＨが作成され、１つの主情報文書ファイルＳＨの実行によってそれに対応する主情報ＳＹＪが表示面ＨＧに表示される。題名情報ＤＭＪに対しては、全部の題名情報ＤＭＪについて１つの題名情報文書ファイルＤＨが作成され、題名情報文書ファイルＤＨの実行によって全部の題名情報ＤＭＪが表示面ＨＧに同時に表示される。なお、題名情報ＤＭＪが多いために同時に表示できない場合には、スクロールによって表示される。
【００３７】
そして、題名情報文書ファイルＤＨには、各題名情報ＤＭＪとそれに対応する主情報文書ファイルＳＨとをリンクする情報が含まれている。題名情報ＤＭＪが表示されている場合に、そのいずれかを画面上でクリックすると、クリックされた題名情報ＤＭＪに対応した主情報文書ファイルＳＨが実行され、それに対応する主情報ＳＹＪが表示される。
【００３８】
期限管理ファイル４３には、期限情報ＫＧＪに基づいて、各主情報ＳＹＪおよび題名情報ＤＭＪの有効期限を管理するための情報が格納される。削除処理部４４は、期限管理ファイル４３の内容に基づいて、期限を過ぎた主情報ＳＹＪ、主情報文書ファイルＳＨ、および題名情報ＤＭＪをサーバ３から削除し、また題名情報文書ファイルＤＨの内容を修正する。
【００３９】
なお、サーバ３には磁気ディスクなどの大容量の記憶装置が設けられており、そこに情報掲示システム１を実現するための種々のプログラムおよびデータが格納されている。そのプログラムの一部を端末装置４にダウンロードさせることも可能である。
【００４０】
次に、端末装置４の掲示情報作成機能を用いて掲示情報を作成しサーバ３に登録する処理の流れを説明する。
図４は電子掲示板のメニュ画面ＨＧ１を示す図、図５はメニュ画面ＨＧ１の１つをクリックした際に表示される主情報画面ＨＧ２を示す図、図６は主情報ＳＹＪの入力画面ＨＧ３を示す図、図７は題名情報ＤＭＪの入力画面ＨＧ４を示す図、図８は題名情報ＤＭＪの編集画面ＨＧ５を示す図、図９は期限情報ＫＧＪの入力画面ＨＧ６を示す図、図１０は他の主情報ＳＹＪの入力画面ＨＧ３を示す図、図１１は他の題名情報ＤＭＪの編集画面ＨＧ５を示す図、図１２は他の例の主情報画面ＨＧ２を示す図である。
【００４１】
端末装置４を立ち上げて、サーバ３のホームページにアクセスすると、まず、図示しない初期画面が表示面ＨＧに表示される。初期画面では、地域に密着した種々の情報を提供するメニュが表示される。その中から、例えば電子掲示板の「ニュース」を選択してクリックすると、図４に示すメニュ画面ＨＧ１が表示される。
【００４２】
メニュ画面ＨＧ１では、サーバ３の題名情報文書ファイルＤＨを読み出すことによって、題名情報フォルダ４２に格納された題名情報ＤＭＪ１〜４が表示されている。その下方には、登録ボタンＢＴ１が表示されている。但し、登録ボタンＢＴ１は、このサイトへの情報の発信を許可されたユーザのみに対して表示され、許可されていないユーザに対しては表示されない。
【００４３】
メニュ画面ＨＧ１において、例えば題名情報ＤＭＪ１の「フルーツマーケット」をクリックすると、図５に示すように、それに対応する主情報ＳＹＪ１による主情報画面ＨＧ２が表示面ＨＧに表示される。
【００４４】
このように、端末装置４のユーザは、メニュ画面ＨＧ１の中から選択したニュースをクリックすることにより、その内容を閲覧することができる。
さて、メニュ画面ＨＧ１において、登録ボタンＢＴ１をクリックすると、掲示情報を作成するための作業に入ることができる。まず最初に、図６に示す主情報ＳＹＪの入力画面ＨＧ３が表示面ＨＧに表示される。但し、ウインドウＷＤ３内の画像は未だ表示されない。
【００４５】
入力画面ＨＧ３が表示された状態で、録画ボタンＢＴ２をクリックし、ビデオキャプチャ１３によって画像データＳ４を取り込む。取り込んだ画像は、ウインドウＷＤ３内に表示される。例えば、図５に示す主情報画面ＨＧ２を作成するものとすると、図６のウインドウＷＤ３には主情報ＳＹＪ１と同じ画像、または主情報ＳＹＪ１を含む画像が表示される。ユーザがウインドウＷＤ３を見て、それでよいと判断すると、次へボタンＢＴ３をクリックする。そうすると、図７に示す題名情報ＤＭＪの入力画面ＨＧ４が表示される。
【００４６】
入力画面ＨＧ４が表示された状態で、録画ボタンＢＴ４をクリックし、ビデオキャプチャ１３によって画像データＳ４を取り込む。取り込んだ画像は、ウインドウＷＤ４内に表示される。例えば、図４に示すメニュ画面ＨＧ１の題名情報ＤＭＪ１を作成する場合には、それに対応した画像を取り込むことによって、図７のウインドウＷＤ４に題名情報ＤＭＪ１を含む画像ＤＭＪ１Ａが表示される。ユーザがウインドウＷＤ４を見て、それでよいと判断すると、次へボタンＢＴ５をクリックする。そうすると、図８に示す編集画面ＨＧ５が表示される。
【００４７】
編集画面ＨＧ５では、画像ＤＭＪ１Ａの一部がトリミングされ、ウインドウＷＤ５内に表示される。位置合わせボタンＢＴ１０を操作してトリミング位置を調整する。また、必要に応じて変倍ボタンＢＴ１１を操作し、画像の拡大または縮小を行う。これらの操作によって適当な題名情報ＤＭＪ１を編集する。登録ボタンＢＴ７をクリックすると、入力された題名情報ＤＭＪ１および主情報ＳＹＪ１がサーバ３に転送される。
【００４８】
また、期限情報ＫＧＪを入力したい場合には、編集画面ＨＧ５において期限ボタンＢＴ８をクリックする。そうすると、図９に示すように期限情報ＫＧＪの入力画面ＨＧ６が表示される。この入力画面ＨＧ６は、図８に示す編集画面ＨＧ５に対し、カレンダーＣＬＤおよび月変更ボタンＢＴ１２が追加されたものである。
【００４９】
掲載期限としたいカレンダーＣＬＤ内の日付をクリックすると、その日付が期限情報ＫＧＪとして入力される。カレンダーＣＬＤとして表示された月を変更したい場合には、月変更ボタンＢＴ１２を操作する。期限情報ＫＧＪを入力した後で、登録ボタンＢＴ７をクリックすると、入力された情報がサーバ３に転送される。
【００５０】
サーバ３では、上に述べたように、送信されてきた新しい情報を一時フォルダ３１に一時的に格納する。その後、ウエブフォルダ３２に格納し、その情報を表示するためのＨＴＭＬ文書を自動的に作成する。
【００５１】
上に述べた「フルーツマーケット」の場合では、主情報ＳＹＪ１と題名情報ＤＭＪ１とを別個の画像に基づいて作成したが、主情報ＳＹＪの画像から題名情報ＤＭＪを作成することもできる。次にその例を説明する。
【００５２】
図４に示すメニュ画面ＨＧ１において登録ボタンＢＴ１をクリックすると、図１０に示す主情報ＳＹＪの入力画面ＨＧ３が表示される。但し、ウインドウＷＤ３内の画像は未だ表示されない。
【００５３】
ここで、上と同様に画像を入力すると、ウインドウＷＤ３内に画像（主情報ＳＹＪ４）が表示される。次へボタンＢＴ３をクリックすると、ウインドウＷＤ４内には、ウインドウＷＤ３の画像（主情報ＳＹＪ４）がデフォルトの画像情報として表示されているので、これを流用するために新たな画像を入力することなく、次へボタンＢＴ５をクリックする。
【００５４】
そうして、図１１に示す編集画面ＨＧ５で編集を行い、登録を行う。これによって、主情報ＳＹＪ４の一部を題名情報ＤＭＪ４として用いることができる。図４のメニュ画面ＨＧ１において「あじ特価１００円」をクリックすると、図１２に示す主情報画面ＨＧ７が表示される。このように、主情報ＳＹＪを作成する際に、そこに題名情報ＤＭＪとして相応しい文字などを含んだ画像を入れておけばよい。
【００５５】
図１３は掲示情報作成処理の手順を示すフローチャートである。
図１３において、主情報ＳＹＪ１として用いる画像を入力する（＃１１）。主情報ＳＹＪ１として入力された画像を題名情報ＤＭＪに兼用しない場合には（＃１２でノー）、次に題名情報ＤＭＪとして用いる画像を入力する（＃１３）。画像を兼用する場合には、先に入力された画像の全部又は一部がデフォルトの画像として表示され、題名情報ＤＭＪ用の画像を別途入力する必要はない。これらの画像は、静止画若しくは動画、又は音声を含む静止画若しくは動画である。
【００５６】
題名情報ＤＭＪを編集する（＃１４）。その際に、入力された画像、つまり主情報ＳＹＪとして入力された画像、または題名情報ＤＭＪとして入力された画像の中から、題名情報ＤＭＪとして用いる部分をユーザが指定する。拡大又は縮小することも可能である。
【００５７】
必要に応じて期限情報ＫＧＪを入力する（＃１５，１６）。入力した情報および編集した情報を確定し、登録する（＃１７）。
上に述べた実施形態の情報掲示システム１によると、電子掲示板に登録するための情報を作成するに当たり、キーボードの操作を要することなく、画像を読み込んで編集することによって簡単に且つ迅速に主情報ＳＹＪおよび題名情報ＤＭＪを作成することができる。題名情報ＤＭＪとして主情報ＳＹＪの一部を用いることもできるので、題名情報ＤＭＪの作成が極めて容易である。
【００５８】
したがって、小売店やスーパーマーケットなどにおいて、例えばその日の夕方に特売品が生じた場合に、そのタイミングで、リアルタイムに、その現場で、販売の担当者が自ら、ビデオカメラやデジタルカメラなどでその特売品の画像を取り込んで掲示用の情報を容易に作成し、サーバ３に送信することができる。そして、他のユーザは、端末装置４を操作することによってその特売情報を迅速に知ることができ、特売の現場に駆けつけることができる。
【００５９】
上の実施形態において、端末装置４に、ユーザの選定した特定の画像を予め登録しておき、主情報ＳＹＪを入力した際に、その画像に特定の画像を自動的に重ねてまたは合成して表示するように構成することもできる。また、題名情報ＤＭＪにその特定の画像を自動的に付加するようにしてもよい。そのような特定の画像として、例えば、販売店、販売店の看板、販売員の名刺、販売員の顔などの写真またはイラストなどを用いることができる。
【００６０】
上の実施形態において、端末装置４にマウスおよびキーボードなどを設けておいてもよい。サーバ３、端末装置４、情報掲示システム１の全体または各部の構成、回路、処理内容、処理タイミング、画像の内容などは、本発明の趣旨に沿って適宜変更することができる。
【００６１】
【発明の効果】
本発明によると、電子掲示板に登録するための情報を容易に且つ迅速に作成し登録することができる。
【００６２】
請求項２および７の発明によると、導入情報の作成が一層容易である。
【図面の簡単な説明】
【図１】本発明に係る情報掲示システムの構成の例を示すブロック図である。
【図２】端末装置の構成の例を示すブロック図である。
【図３】サーバの構成の例を示すブロック図である。
【図４】電子掲示板のメニュ画面を示す図である。
【図５】メニュ画面の１つをクリックした際に表示される主情報画面を示す図である。
【図６】主情報の入力画面を示す図である。
【図７】題名情報の入力画面を示す図である。
【図８】題名情報の編集画面を示す図である。
【図９】期限情報の入力画面を示す図である。
【図１０】他の主情報の入力画面を示す図である。
【図１１】他の題名情報の編集画面を示す図である。
【図１２】他の例の主情報画面を示す図である。
【図１３】掲示情報作成処理の手順を示すフローチャートである。
【符号の説明】
１  情報掲示システム
３  サーバ（情報登録装置）
４  端末装置（情報登録装置）
１０  処理装置
１１  ディスプレイ装置（表示装置）
１３  ビデオキャプチャ（画像入力手段）
１４  ビデオカメラ（画像入力手段）
ＮＷ  ネットワーク
ＨＧ  表示面
ＳＹＪ  主情報（本体情報）
ＤＭＪ  題名情報（導入情報）
ＫＧＪ  期限情報
ＨＧ１  メニュ画面
ＨＧ３  主情報の入力画面（本体情報入力画面）
ＨＧ４  題名情報の入力画面（導入情報入力画面）
Ｓ４  画像データ（画像情報）
ＣＤ  ＣＤ−ＲＯＭ（記録媒体）
ＦＤ  フロッピーディスク（記録媒体）
【図１】
0004076303.tif 000002
【図２】
0004076303.tif 000003
【図３】
0004076303.tif 000004
【図４】
0004076303.tif 000005
【図５】
0004076303.tif 000006
【図６】
0004076303.tif 000007
【図７】
0004076303.tif 000008
【図８】
0004076303.tif 000009
【図９】
0004076303.tif 000010
【図１０】
0004076303.tif 000011
【図１１】
0004076303.tif 000012
【図１２】
0004076303.tif 000013
【図１３】
0004076303.tif 000014